【手続補正書】
【提出日】平成19年7月17日(2007.7.17)
【手続補正１】
【補正対象書類名】特許請求の範囲
【補正対象項目名】全文
【補正方法】変更
【補正の内容】
【特許請求の範囲】
【請求項１】
アクティブ・ノイズ・リダクション（ＡＮＲ）ヘッドセット・システムであって、
入力電圧を受けるヘッドセット回路と、
前記入力電圧を前記ヘッドセット回路に供給する電源であって、
電力を供給する直流（ＤＣ）電圧源と、
前記電力を前記ヘッドセット回路に供給する入力電圧に変換する電圧変換回路であって、前記ヘッドセット回路によって前記電源から引き出されるヘッドセット負荷電流の変化に応答して、前記入力電圧を変化させる、電圧変換回路と、
前記ヘッドセットの負荷電流が所定の時間量にわたって閾値以下に低下したとき、前記ヘッドセット回路を低電力消費状態にするシャットオフ回路と、
を備える電源と、
を備え、前記シャットオフ回路は、更に、
測定したヘッドセット負荷電流に基づく入力信号と、前記閾値と比較される出力信号とを有するバンド・パス・フィルタを備えている、システム。
【請求項２】
請求項１記載のシステムにおいて、前記シャットオフ回路は、
前記測定したヘッドセット負荷電流に基づいて、前記閾値をフィルタ出力と比較する比較器と、
前記ヘッドセット回路を低電力消費状態とする信号を送るタイマ・リセット回路と、
を備えているシステム。
【請求項３】
アクティブ・ノイズ・リダクション（ＡＮＲ）ヘッドセット・システムであって、
入力電圧を受けるヘッドセット回路と、
前記入力電圧を前記ヘッドセット回路に供給する電源であって、
電力を供給する直流（ＤＣ）電圧源と、
前記電力を前記ヘッドセット回路に供給する入力電圧に変換する電圧変換回路であって、前記ヘッドセット回路によって前記電源から引き出されるヘッドセット負荷電流の変化に応答して、前記入力電圧を変化させる、電圧変換回路と、
前記ヘッドセットの負荷電流が所定の時間量にわたって閾値以下に低下したとき、前記ヘッドセット回路を低電力消費状態にするシャットオフ回路と、
を備える電源と、
を備え、前記ヘッドセット回路は、
イヤカップ内に位置するマイクロフォンからの信号を受け、能動的に前記信号を低減させるフィードバック・ループを含むＡＮＲ回路と、
前記ＡＮＲ回路および増幅器に供給する電圧を第１所定電圧に制限する第１電圧レギュレータと、
前記ヘッドセット回路の入力電圧を第２所定電圧に制限する第２電圧レギュレータと、
を備えているシステム。
【請求項４】
アクティブ・ノイズ・リダクション（ＡＮＲ）ヘッドセット・システムであって、
入力電圧を受けるヘッドセット回路と、
前記入力電圧を前記ヘッドセット回路に供給する電源であって、
電力を供給する直流（ＤＣ）電圧源と、
前記電力を、前記ヘッドセット回路に供給する入力電圧に変換する電圧変換回路であって、前記ヘッドセット回路によって前記電源から引き出されるヘッドセット負荷電流の変化に応答して前記入力電圧を変化させる、電圧変換回路と、
前記ヘッドセット負荷電流が所定時間量にわたって閾値以下に低下したとき、前記ヘッドセット回路を低電力消費状態とするシャットオフ回路と、
を備える電源と、
を備え、前記シャットオフ回路は、更に、
測定したヘッドセット負荷電流に基づく入力信号と、前記閾値と比較される出力信号とを有するバンド・パス・フィルタを備えている、システム。
【請求項５】
請求項４記載のシステムにおいて、前記シャットオフ回路は、
前記測定したヘッドセット負荷電流に基づいて、前記閾値をフィルタ出力と比較する比較器と、
前記ヘッドセット回路を低電力消費状態とする信号を送るタイマ・リセット回路と、
を備えているシステム。
【請求項６】
アクティブ・ノイズ・リダクション（ＡＮＲ）ヘッドセット・システムであって、
入力電圧を受けるヘッドセット回路と、
前記入力電圧を前記ヘッドセット回路に供給する電源であって、
電力を供給する直流（ＤＣ）電圧源と、
前記電力を、前記ヘッドセット回路に供給する入力電圧に変換する電圧変換回路であって、前記ヘッドセット回路によって前記電源から引き出されるヘッドセット負荷電流の変化に応答して前記入力電圧を変化させる、電圧変換回路と、
前記ヘッドセット負荷電流が所定時間量にわたって閾値以下に低下したとき、前記ヘッドセット回路を低電力消費状態とするシャットオフ回路と、
を備える電源と、
を備え、前記ヘッドセット回路は、
イヤカップ内に位置するマイクロフォンからの信号を受け、能動的に前記信号を低減させるフィードバック・ループを含むＡＮＲ回路と、
前記ＡＮＲ回路および増幅器に供給する電圧を第１所定電圧に制限する第１電圧レギュレータと、
前記ヘッドセット回路の入力電圧を第２所定電圧に制限する第２電圧レギュレータと、
を備えているシステム。
【請求項７】
アクティブ・ノイズ・リダクション（ＡＮＲ）ヘッドセット・システムであって、
入力電圧を受けるヘッドセット回路と、
ヘッドセット負荷電流が、所定の時間量にわたって閾値以下に低下したとき、前記ヘッドセット回路を低電力消費状態とするシャットオフ回路と、
を備え、前記シャットオフ回路は、更に、
測定したヘッドセット負荷電流に基づく入力信号と、前記閾値と比較される出力信号とを有するバンド・パス・フィルタを備えている、システム。
【請求項８】
請求項７記載のシステムにおいて、前記シャットオフ回路は、
前記測定したヘッドセット負荷電流に基づいて、前記閾値をフィルタ出力と比較する比較器と、
前記ヘッドセット回路を低電力消費状態とする信号を送るタイマ・リセット回路と、
を備えるシステム。
【請求項９】
アクティブ・ノイズ・リダクション（ＡＮＲ）ヘッドセット・システムであって、
入力電圧を受けるヘッドセット回路と、
ヘッドセット負荷電流が、所定の時間量にわたって閾値以下に低下したとき、前記ヘッドセット回路を低電力消費状態とするシャットオフ回路と、
を備え、前記ヘッドセット回路は、
イヤカップ内に位置するマイクロフォンからの信号を受け、能動的に前記信号を低減させるフィードバック・ループを含むＡＮＲ回路と、
前記ＡＮＲ回路および増幅器に供給する電圧を第１所定電圧に制限する第１電圧レギュレータと、
前記ヘッドセット回路の入力電圧を第２所定電圧に制限する第２電圧レギュレータと、
を備えるシステム。
【請求項１０】
アクティブ・ノイズ・リダクション・ヘッドセット用電源であって、
電力を供給する直流（ＤＣ）電圧源と、
前記電力を、ヘッドセット回路に供給する入力電圧に変換する電圧変換回路であって、前記ヘッドセット回路によって前記電源から引き出されるヘッドセット負荷電流の変化に応答して、前記入力電圧を変化させる、電圧変換回路と、
ヘッドセット負荷電流が、所定の時間量にわたって閾値以下に低下したとき、前記ヘッドセット回路を低電力消費状態とするシャットオフ回路と、
を備え、前記シャットオフ回路は、更に、
測定したヘッドセット負荷電流に基づく入力信号と、前記閾値と比較される出力信号とを有するバンド・パス・フィルタを備えている、電源。
【請求項１１】
アクティブ・ノイズ・リダクション・ヘッドセット用電源であって、
電力を供給する直流（ＤＣ）電圧源と、
前記電力を、ヘッドセット回路に供給する入力電圧に変換する電圧変換回路であって、前記ヘッドセット回路によって前記電源から引き出されるヘッドセット負荷電流の変化に応答して、前記入力電圧を変化させる、電圧変換回路と、
ヘッドセット負荷電流が、所定の時間量にわたって閾値以下に低下したとき、前記ヘッドセット回路を低電力消費状態とするシャットオフ回路と、
を備え、前記シャットオフ回路は、
前記測定したヘッドセット負荷電流に基づいて、前記閾値をフィルタ出力と比較する比較器と、
前記ヘッドセット回路を低電力消費状態とする信号を送るタイマ・リセット回路と、
を備える電源。
【請求項１２】
アクティブ・ノイズ・リダクション・ヘッドセット用電源であって、
ヘッドセット負荷電流が、所定の時間量にわたって閾値以下に低下したとき、前記ヘッドセット回路を低電力消費状態とするシャットオフ回路を備え、該シャットオフ回路は、更に、
測定したヘッドセット負荷電流に基づく入力信号と、前記閾値と比較される出力信号とを有するバンド・パス・フィルタを備えている、電源。
【請求項１３】
請求項１２記載の電源において、前記シャットオフ回路は、
前記測定したヘッドセット負荷電流に基づいて、前記閾値をフィルタ出力と比較する比較器と、
前記ヘッドセット回路を低電力消費状態とする信号を送るタイマ・リセット回路と、
を備えている電源。